(57)【要約】【課題】  襟の真後ろを扁平化させることなく留めることができ、しかも着物の背中心に合わせて襟を、簡単、迅速に留めることができる着付け用クリップを提供する。【解決手段】  着付け時に襦袢１と着物２の襟１ａ、２ａを背中心３で挟み付けるため、襦袢１の襟１ａの内側にあてがう内側挟持片４と、着物２の襟２ａの外側にあてがう外側挟持片５とを備えて洗濯挟み状に形成する。内側挟持片４の襦袢１の襟１ａと接する内面４ｃを、内側挟持片４の横幅方向における中央を最も突き出させて横断面凸湾曲面状に形成する。外側挟持片５の着物２の襟２ａと接する内面５ｃを、外側挟持片５の横幅方向における中央を最も凹ませて横断面凹湾曲面状に形成する。この外側挟持片５の外面の横幅方向における中央に、着物２の背中心３に合わせて真っ直ぐ縦向きに襦袢１と着物２の襟１ａ、２ａを挟むための目印８を形成する。【選択図】      図１
2010057699.tif 000002
【特許請求の範囲】
【請求項１】
着付け時に襦袢と着物の襟を背中心で挟み付けるため、襦袢の襟の内側にあてがわれる内側挟持片と、着物の襟の外側にあてがわれる外側挟持片とを備えて洗濯挟み状に形成されている着付け用クリップであって、上記の内側挟持片の襦袢の襟と接する内面が、内側挟持片の横幅方向における中央を最も突き出させて横断面凸湾曲面状に形成され、上記の外側挟持片の着物の襟と接する内面が、外側挟持片の横幅方向における中央を最も凹ませて横断面凹湾曲面状に形成され、この外側挟持片の外面の横幅方向における中央に、着物の背中心に合わせて真っ直ぐ縦向きに襦袢と着物の襟を挟むための目印が形成されていることを特徴とする着付け用クリップ。
【請求項２】
請求項１記載の着付け用クリップであって、内側挟持片の襦袢の襟と接する内面が、略山形の凸湾曲面状に形成されていることを特徴とする着付け用クリップ。
【請求項３】
請求項１又は２記載の着付け用クリップであって、目印が、外側挟持片の下端から外側挟持片の長手方向に沿って直線状に形成されていることを特徴とする着付け用クリップ。
【請求項４】
請求項１乃至３の何れかに記載の着付け用クリップであって、内側挟持片の下端が外側挟持片の下端より上に位置決めされて内側挟持片が外側挟持片より短く形成されていることを特徴とする着付け用クリップ。
【発明の詳細な説明】
【技術分野】
【０００１】
本発明は着付け用クリップに関し、更に詳しくは襦袢と着物の襟を背中心で挟み付け、襟足が出るよう、抜き襟にする際に使用する着付け用クリップに関するものである。
【背景技術】
【０００２】
従来、着付けに使用するクリップとしては、例えば特許文献１に記載されているものがある。この従来品は、クリップ本体と挟持板とを長板状に形成し、基端同士を枢着させると共に、先端側を係脱自在に形成し、クリップ本体と挟持板とで帯を挟んで留めることができるよう形成されているものである。
【０００３】
ところで従来、抜き襟にする際に使用する洗濯挟み状の着付け用クリップは、一対の挟持片が平板状に形成されているのが通例であった。従って従来品で、襦袢と着物の襟の後側の真中を留めると、この中央箇所が扁平化し形崩れするため、従来品によると、クリップを外した後、襟を湾曲状に綺麗に修正しなければならない、という問題があった。
また従来、この種のクリップを着物の背中心に留める際は、一対の挟持片の側縁（縦縁）を目安にして、側縁の一方側を背中心に合わせて留めることが行われている。
従ってこの場合は、着物の背中心より留め付け位置が少しずれるため、襟の左右の留め付け状態のバランスが崩れるのを避けられず、そのため綺麗に着付けることができない、という問題があった。またこの場合は、上記の通り、挟持片の側縁を目安に留めるため、正確に背中心に合わせることが難しく、この種の着付け作業に手間暇がかかるのを避けられなかった。
【特許文献１】実用新案登録第３０３３４６４号公報
【発明の開示】
【発明が解決しようとする課題】
【０００４】
本発明は、このような従来の問題に鑑み、提案されたものである。
従って本発明の解決しようとする技術的課題は、襟の真後ろを扁平化させることなく留めることができ、しかも着物の背中心に合わせて襟を、簡単、迅速に留めることができるよう形成した着付け用クリップを提供することにある。
【課題を解決するための手段】
【０００５】
本発明は、上記の課題を解決するため、次のような技術的手段を採る。
即ち本発明は、図１等に示されるように、着付け時に襦袢１と着物２の襟１ａ、２ａを背中心３で挟み付けるため、襦袢１の襟１ａの内側にあてがわれる内側挟持片４と、着物２の襟２ａの外側にあてがわれる外側挟持片５とを備えて洗濯挟み状に形成されている着付け用クリップであって、上記の内側挟持片４の襦袢１の襟１ａと接する内面４ｃが、内側挟持片４の横幅方向における中央を最も突き出させて横断面凸湾曲面状に形成され、上記の外側挟持片５の着物２の襟２ａと接する内面５ｃが、外側挟持片５の横幅方向における中央を最も凹ませて横断面凹湾曲面状に形成され、この外側挟持片５の外面の横幅方向における中央に、着物２の背中心３に合わせて真っ直ぐ縦向きに襦袢１と着物２の襟１ａ、２ａを挟むための目印８が形成されていることを特徴とする（請求項１）。
【０００６】
ここで、横断面凸湾曲面状とは、具体的には、内側挟持片４の内面４ｃを円弧状に形成したり（図８Ａの状態参照）、内面４ｃの中央位置を凸湾曲にして横断面においてその両側の稜線を直線状に形成したり（図１Ｂの状態参照）、或いは内面４ｃの中央位置を凸湾曲にして横断面においてその両側の稜線を弧状に湾曲することで（図８Ｂの状態参照）、実現される。
【０００７】
このうち、内側挟持片４の襦袢１の襟１ａと接する内面４ｃを、略山形の凸湾曲面状に形成する場合は、襦袢１の襟１ａの後側中央を、内面４ｃの中央で局部的に着物２の襟２ａに押し付けることができ、襦袢１の襟１ａの厚みや生地の材質等に左右されることなく、背中心３で留め付けを確実にできる（請求項２）。
ここで、略山形とは、図１Ｂに示されるように、内面４ｃの中央位置を凸湾曲にして横断面においてその両側の稜線を直線状に形成したり、或いは図８Ｂに示されるように、内面４ｃの中央位置を凸湾曲にして横断面においてその両側の稜線を弧状に湾曲させる場合を意味する。
【０００８】
また本発明は、図１Ａに示されるように、目印８が、外側挟持片５の下端５ｄから外側挟持片５の長手方向に沿って直線状に形成されているのが好ましい（請求項３）。
なぜならこれによると、着物２の背中心３に目印８を合わせ易くなり、着物２の襟２ａの真後ろに本発明品を配置し易くなるからである。
【０００９】
更に本発明は、図９等に示されるように、内側挟持片４の下端４ｄが外側挟持片５の下端５ｄより上に位置決めされて内側挟持片４が外側挟持片５より短く形成されているのが好ましい（請求項４）。
なぜならこれによると、内側挟持片４を襦袢１の襟１ａの内側に挿し入れるとき、その下端４ｄが肌に触れにくくなり、不快感を装着者に与えることを防止できるからである。
【発明の効果】
【００１０】
本発明は、このように内側挟持片の内面が、横断面凸湾曲面状に形成され、外側挟持片の内面が、横断面凹湾曲面状に形成され、外側挟持片の外面の横幅方向における中央に、着物の背中心に合わせて真っ直ぐ縦向きに襦袢と着物の襟を挟むための目印が形成されているものである。
従って本発明の場合は、着物の背中心に目印を合わせて襟の真後ろで、襦袢と着物の襟を湾曲させた状態で留めることができる。それ故これによれば、襟の真後ろを扁平化させることがないから、クリップを外した後、襟を修正する手間暇を解消でき、また目印によって留め付け操作を簡単且つ楽にできる。
【発明を実施するための最良の形態】
【００１１】
以下、本発明を実施するための最良の形態を説明する。
本発明のクリップは、図１等に示されるように、着付け時に襦袢１と着物２の襟１ａ、２ａを背中心３（背縫いの部分）で挟み付けるために使用するものである。本発明品は、襦袢１の襟１ａの内側にあてがわれる内側挟持片４と、着物２の襟２ａの外側にあてがわれる外側挟持片５とを備えて洗濯挟み状に形成されている。着物２は、この実施形態では掛下２１と内掛け２２の２枚で構成されている。
【００１２】
上記の内側挟持片４と外側挟持片５は、この実施形態では夫々金属製の本体部４ａ、５ａの内側に、ゴム等の弾性質、軟性質の部材４ｂ、５ｂを備えて形成されている。この部材４ｂ、５ｂにより、襦袢１や着物２の襟１ａ、２ａは生地を傷めることなく、留め付けが可能になる。
【００１３】
また、図１Ｂ等に示されるように、上記の内側挟持片４の襦袢１の襟１ａと接する内面４ｃは、内側挟持片４の横幅方向における中央を最も突き出させて、この実施形態では略山形の横断面凸湾曲面状に形成されている。内側挟持片４の内面４ｃは、弾性質、軟性質の部材４ｂで形成されているため、襦袢１の襟１ａにフィットして押し付けられる。
【００１４】
また上記の外側挟持片５の着物２の襟２ａと接する内面５ｃは、外側挟持片５の横幅方向における中央を最も凹ませて横断面凹湾曲面状に形成されている。この場合、この実施形態では内側挟持片４、外側挟持片５の各内面４ｃ、５ｃは、襟１ａ、２ａに深く挿して留めることができるよう、内面４ｃ、５ｃの全体（内面４ｃ、５ｃの縦方向の全長）が、横断面凸湾曲面状又は横断面凹湾曲面状に形成されている。
【００１５】
６（図２等参照）は、横軸である。内側挟持片４と外側挟持片５は、この横軸６で胴部よりやや上の位置が枢着されている。７は、内側挟持片４と外側挟持片５の下端４ｄ、５ｄ（図３等参照）を閉じさせ、襦袢１と着物２の襟１ａ、２ａを挟み付けるための捻じりコイルバネである。本発明品は、このバネ７の力に抗して上部を手指で内方に圧して下端４ｄ、５ｄを外側に開かせ、次に上部に加えている手指の力を抜くことにより、バネ７の復元力で下端４ｄ、５ｄが閉じ、襦袢１と着物２の襟１ａ、２ａの挟み付けが可能になるよう形成されている。
【００１６】
また本発明品は、図１Ａ等に示されるように、外側挟持片５の外面の横幅方向における中央に、着物２の背中心３（背縫いの部分）に合わせて真っ直ぐ縦向きに襦袢１と着物２の襟１ａ、２ａを挟むための目印８が形成されている。この目印８は、この実施形態では外側挟持片５の下端５ｄから外側挟持片５の長手方向に沿って直線状に形成されている。
【００１７】
次に本ｆ発明品の使用例を、図１等に従って説明する。
本発明品は、襦袢１と着物２の襟１ａ、２ａを一緒に留め、着物２を抜き襟に着付けるときに使用するものである。使用者は、先ず内側挟持片４と外側挟持片５の上部を、バネ７の弾発力に抗して手指で内方に圧し、下部を外側に開いて襦袢１と着物２の襟１ａ、２ａに跨がせる。
【００１８】
次に使用者は、着物２の背中心３に目印８を合わせ、背中心３と目印８が一直線になるよう、本発明品を縦向きに配置し、上部に加えている手指の力を抜く。これにより、バネ７の復元力で内側挟持片４と外側挟持片５の下端４ｄ、５ｄが閉じ、襦袢１と着物２の襟１ａ、２ａの後側中央が本発明品で挟み付けられる（図４、図７等参照）。
【００１９】
この場合、この実施形態の本発明品は、上記の通り、内側挟持片４の内面４ｃが略山形の凸湾曲面状に形成され、外側挟持片５の内面５ｃは凹湾曲面状に形成されている。従って本発明品は、襦袢１や着物２の襟１ａ、２ａが厚くても、また着物２が、２枚、３枚と重ね合わされて襟２ａが厚い場合でも、内側挟持片４の内面４ｃが襦袢１の襟１ａの後側中央を、的確に着物２の襟２ａに押し付ける。また本発明品の場合は、内側挟持片４と外側挟持片５とが協働して、襦袢１と着物２の襟１ａ、２ａを湾曲状に挟み付けるものである。
而して着付け作業が終了したら、使用者は、内側挟持片４と外側挟持片５の上部をバネ７の弾発力に抗して手指で内方に圧し、内側挟持片４と外側挟持片５の下端４ｄ、５ｄを外側に開かせ、襟１ａ、２ａから本発明品を取り外すものである。
【００２０】
以上の処において、上例では、内側挟持片４の襦袢１の襟１ａと接する内面４ｃが、略山形の凸湾曲面状に形成されているが、本発明はこれに限定されるものではない。即ち、内側挟持片４の襦袢１の襟１ａと接する内面４ｃは、襦袢１の襟１ａを湾曲状に突き出させる形状であれば、その形状は、図８Ａ、Ｂに示されるように、任意である。また内側挟持片４の内面４ｃと外側挟持片５の内面５ｃの湾曲率は任意であり、両者は同じ湾曲率で形成されているのでも、また違えられているのでも良い。
【００２１】
また本発明は、着付け時に内側挟持片４の下端４ｄが、うなじに触れて不快感を装着者に与えることがないよう、図９〜図１２に示されるように、内側挟持片４の下端４ｄが外側挟持片５の下端５ｄより上に位置決めされて内側挟持片４が外側挟持片５より短く形成されているのでも良い。
この場合、具体的には内側挟持片４と外側挟持片５の下端４ｄ、５ｄとの差が、２ｃｍ程度に選定されるのが良い。
【００２２】
また外側挟持片５は、図１３に示されるように、その下端５ｄを、着物２の襟２ａの下端に接して挟み付けることができるよう、横軸６（図１１等参照）から下端５ｄまでの長さが、襟２ａの高さより長く形成されているのが良い。この場合は、背縫いの一番上に、外側挟持片５の下端５ｄがつくから、背中心３と目印８とを合わせ易くなるものである。
【００２３】
更に本発明の場合、上記の目印８は、直線には限られず、例えばミシン状の断続線や、その他の模様等でも良い。またこの目印８は、印刷等の手段で平面的に付される場合には限られず、図１４に示されるように、外側挟持片５の本体部５ａの外面に稜線状に形成されているのでも良い。
【図面の簡単な説明】
【００２４】
【図１】本発明のクリップの好適な一実施形態を示し、Ａは斜視図、Ｂは要部横断面図である。
【図２】同上クリップの正面図である。
【図３】同上クリップの側面図である。
【図４】同上クリップの使用状態時の側面図である。
【図５】図４のＶ−Ｖ線における断面図である。
【図６】同上クリップの底面図である。
【図７】同上クリップの使用状態時の着物の要部背面図である。
【図８】Ａ、Ｂとも内側挟持片の内面の他の実施形態を示す要部断面図である。
【図９】同上クリップの他の実施形態を示す側面図である。
【図１０】図９に係る本発明品の使用状態時の側面図である。
【図１１】図９に係る本発明品の正面図である。
【図１２】図９に係る本発明品の背面図である。
【図１３】図９に係る本発明品の使用状態時の着物の要部背面図である。
【図１４】目印の他の実施形態を示す要部横断面図である。
【符号の説明】
【００２５】
１      襦袢
１ａ    襟
２      着物
２ａ    襟
３      背中心
４      内側挟持片
４ｃ    内面
５      外側挟持片
５ｃ    内面
８      目印
【図１】
2010057699.tif 000003
【図２】
2010057699.tif 000004
【図３】
2010057699.tif 000005
【図４】
2010057699.tif 000006
【図５】
2010057699.tif 000007
【図６】
2010057699.tif 000008
【図７】
2010057699.tif 000009
【図８】
2010057699.tif 000010
【図９】
2010057699.tif 000011
【図１０】
2010057699.tif 000012
【図１１】
2010057699.tif 000013
【図１２】
2010057699.tif 000014
【図１３】
2010057699.tif 000015
【図１４】
2010057699.tif 000016